(57)【特許請求の範囲】
【請求項１】
プロセッサを備えた無線通信装置によって実行される無線通信のための方法であって、
前記プロセッサが、
チャネル・ディスクリプタ（ＣＤ）の新たなバージョンを取得することと、
前記ＣＤの新たなバージョンが有効になる前に、前記ＣＤの新たなバージョンを含む複数のメッセージと、前記ＣＤの現在のバージョンを含む複数のメッセージとをある期間中同時に送信することと、ここにおいて、前記ＣＤの新たなバージョンを含む前記複数のメッセージは、同時送信期間中、前記ＣＤの現在のバージョンを含む前記複数のメッセージよりも、頻繁に送信される、
前記ＣＤの新たなバージョンが有効になった後、少なくとも、前記ＣＤの別の新たなバージョンが取得されるまで、前記ＣＤの新たなバージョンを含むメッセージのみを送信することと、を実行する方法。
【請求項２】
前記プロセッサが、前記ＣＤの新たなバージョンを含むメッセージが送信されるべきであるフレームのフレーム番号を、ブロードキャスト制御ポインタ情報要素（ＩＥ）で送信することをさらに実行する、請求項１に記載の方法。
【請求項３】
前記プロセッサが、前記ＣＤの新たなバージョンが送信されるべきであることを示すために、前記ブロードキャスト制御ポインタＩＥにフラグを設定することをさらに実行する、請求項２に記載の方法。
【請求項４】
プロセッサを備えた無線通信装置によって実行される無線通信のための方法であって、
前記プロセッサが、
前記ＣＤの新たなバージョンが有効になる前に、チャネル・ディスクリプタ（ＣＤ）の新たなバージョンを含む複数のメッセージと、前記ＣＤの現在のバージョンを含む複数のメッセージとを基地局からある期間中同時に受信することと、ここにおいて、前記ＣＤの新たなバージョンを含む前記複数のメッセージは、同時受信期間中、前記ＣＤの現在のバージョンを含む前記複数のメッセージよりも、頻繁に受信される、
前記ＣＤの新たなバージョンが、後のフレームで送信されるべきであることを示すインジケーションを前記基地局から受信することと、
前記ＣＤの新たなバージョンが有効になる前に、前記後のフレームで前記ＣＤの新たなバージョンを取得することと、を実行する方法。
【請求項５】
前記インジケーションは、前記ＣＤが送信されるべき前記後のフレームのフレーム番号を備える、請求項４に記載の方法。
【請求項６】
前記インジケーションは、前記後のフレームで送信されるべきＣＤのバージョンが新しいことを示すフラグを備える、請求項４に記載の方法。
【請求項７】
前記プロセッサが、異なる後のフレームにおいて送信されるべきであるＣＤのバージョンが、以前に取得されたバージョンであることを示すインジケーションを、基地局から受信することと、
これに応じて、前記異なる後のフレームで送信されたバージョンを復号することを控えることと、をさらに実行する請求項４に記載の方法。
【請求項８】
前記後のフレームで送信されたバージョンを復号することを控えることは、スリープ・モードに残ることと、前記以前に取得されたＣＤのバージョンが送信されるべきである、前記後のフレームの間、近隣の基地局をスキャンすることと、のうちの少なくとも１つを備える、請求項７に記載の方法。
【請求項９】
無線通信のための装置であって、
チャネル・ディスクリプタ（ＣＤ）の新たなバージョンを取得することと、
前記ＣＤの新たなバージョンが有効になる前に、前記ＣＤの新たなバージョンを含む複数のメッセージと、前記ＣＤの現在のバージョンを含む複数のメッセージとをある期間中同時に送信することと、ここにおいて、前記ＣＤの新たなバージョンを含む前記複数のメッセージは、同時送信期間中、前記ＣＤの現在のバージョンを含む前記複数のメッセージよりも、頻繁に送信される、
前記ＣＤの新たなバージョンが有効になった後、少なくとも、前記ＣＤの別の新たなバージョンが取得されるまで、前記ＣＤの新たなバージョンを含むメッセージのみを送信することと、
をするように構成された少なくとも１つのプロセッサと、
前記少なくとも１つのプロセッサに結合されたメモリと、
を備える装置。
【請求項１０】
前記少なくとも１つのプロセッサは、前記ＣＤの新たなバージョンを含むメッセージが送信されるべきであるフレームのフレーム番号を、ブロードキャスト制御ポインタ情報要素（ＩＥ）で送信するようにさらに構成される、請求項９に記載の装置。
【請求項１１】
前記少なくとも１つのプロセッサは、前記ＣＤの新たなバージョンが送信されるべきであることを示すために、前記ブロードキャスト制御ポインタＩＥにフラグを設定するようにさらに構成される、請求項１０に記載の装置。
【請求項１２】
無線通信のための装置であって、
前記ＣＤの新たなバージョンが有効になる前に、チャネル・ディスクリプタ（ＣＤ）の新たなバージョンを含む複数のメッセージと、前記ＣＤの現在のバージョンを含む複数のメッセージとを基地局からある期間中同時に受信することと、ここにおいて、前記ＣＤの新たなバージョンを含む前記複数のメッセージは、同時受信期間中、前記ＣＤの現在のバージョンを含む前記複数のメッセージよりも、頻繁に受信される、
前記ＣＤの新たなバージョンが後のフレームで送信されるべきであることを示すインジケーションを前記基地局から受信することと、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記後のフレームで前記ＣＤの新たなバージョンを取得することと、
をするように構成された少なくとも１つのプロセッサと、
前記少なくとも１つのプロセッサに結合されたメモリと、
を備える装置。
【請求項１３】
前記インジケーションは、前記ＣＤが送信されるべき、前記後のフレームのフレーム番号を備える、請求項１２に記載の装置。
【請求項１４】
前記インジケーションは、前記後のフレームで送信されるべきＣＤのバージョンが新しいことを示すフラグを備える、請求項１２に記載の装置。
【請求項１５】
前記少なくとも１つのプロセッサは、
異なる後のフレームにおいて送信されるべきであるＣＤのバージョンが、以前に取得されたバージョンであることを示すインジケーションを、基地局から受信し、前記異なる後のフレームで送信されたバージョンを復号することを控えるようにさらに構成される、請求項１２に記載の装置。
【請求項１６】
前記後のフレームで送信されたバージョンを復号することを控えることは、スリープ・モードに残ることと、前記以前に取得されたＣＤのバージョンが送信されるべきである、前記後のフレームの間、近隣の基地局をスキャンすることと、のうちの少なくとも１つを備える、請求項１５に記載の装置。
【請求項１７】
無線通信のための装置であって、
チャネル・ディスクリプタ（ＣＤ）の新たなバージョンを取得する手段と、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記ＣＤの新たなバージョンを含む複数のメッセージと、前記ＣＤの現在のバージョンを含む複数のメッセージとをある期間中同時に送信する手段と、ここにおいて、前記ＣＤの新たなバージョンを含む前記複数のメッセージは、同時送信期間中、前記ＣＤの現在のバージョンを含む前記複数のメッセージよりも、頻繁に送信される、
前記ＣＤの新たなバージョンが有効になった後、少なくとも、前記ＣＤの別の新たなバージョンが取得されるまで、前記ＣＤの新たなバージョンを含むメッセージのみを送信する手段と、を備える装置。
【請求項１８】
前記ＣＤの新たなバージョンを含むメッセージが送信されるべきであるフレームのフレーム番号を、ブロードキャスト制御ポインタ情報要素（ＩＥ）で送信する手段をさらに備える、請求項１７に記載の装置。
【請求項１９】
前記ＣＤの新たなバージョンが送信されるべきであることを示すために、前記ブロードキャスト制御ポインタＩＥにフラグを設定する手段をさらに備える、請求項１８に記載の装置。
【請求項２０】
無線通信のための装置であって、
前記ＣＤの新たなバージョンが有効になる前に、チャネル・ディスクリプタ（ＣＤ）の新たなバージョンを含む複数のメッセージと、前記ＣＤの現在のバージョンを含む複数のメッセージとを基地局からある期間中同時に受信する手段と、ここにおいて、前記ＣＤの新たなバージョンを含む前記複数のメッセージは、同時受信期間中、前記ＣＤの現在のバージョンを含む前記複数のメッセージよりも、頻繁に受信される、
前記ＣＤの新たなバージョンが後のフレームで送信されるべきであることを示すインジケーションを前記基地局から受信する手段と、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記後のフレームで前記ＣＤの新たなバージョンを取得する手段と、を備える装置。
【請求項２１】
前記インジケーションは、前記ＣＤが送信されるべき、前記後のフレームのフレーム番号を備える、請求項２０に記載の装置。
【請求項２２】
前記インジケーションは、前記後のフレームで送信されるべきＣＤのバージョンが新しいことを示すフラグを備える、請求項２０に記載の装置。
【請求項２３】
異なる後のフレームにおいて送信されるべきであるチャネル・ディスクリプタ（ＣＤ）のバージョンが、以前に取得されたバージョンであることを示すインジケーションを、基地局から受信し、前記異なる後のフレームで送信されたバージョンを復号することを控える手段をさらに備える、請求項２０に記載の装置。
【請求項２４】
前記後のフレームで送信されたバージョンを復号することを控えることは、スリープ・モードに残ることと、前記以前に取得されたＣＤのバージョンが送信されるべきである、前記後のフレームの間、近隣の基地局をスキャンすることと、のうちの少なくとも１つを備える、請求項２３に記載の装置。
【請求項２５】
１または複数のプロセッサによって実行可能な、格納された無線通信のための命令群を有するコンピュータ読取可能な記憶媒体であって、
前記命令群は、
チャネル・ディスクリプタ（ＣＤ）の新たなバージョンを取得するための命令群と、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記ＣＤの新たなバージョンを含む複数のメッセージと、前記ＣＤの現在のバージョンを含む複数のメッセージとをある期間中同時に送信するための命令群と、ここにおいて、前記ＣＤの新たなバージョンを含む前記複数のメッセージは、同時送信期間中、前記ＣＤの現在のバージョンを含む前記複数のメッセージよりも、頻繁に送信される、
前記ＣＤの新たなバージョンが有効になった後、少なくとも、前記ＣＤの別の新たなバージョンが取得されるまで、前記ＣＤの新たなバージョンを含むメッセージのみを送信するための命令群と、を備えるコンピュータ読取可能な記憶媒体。
【請求項２６】
前記ＣＤの新たなバージョンを含むメッセージが送信されるべきであるフレームのフレーム番号を、ブロードキャスト制御ポインタ情報要素（ＩＥ）で送信するための命令群をさらに備える、請求項２５に記載のコンピュータ読取可能な記憶媒体。
【請求項２７】
前記ＣＤの新たなバージョンが送信されるべきであることを示すために、前記ブロードキャスト制御ポインタＩＥにフラグを設定するための命令群をさらに備える、請求項２６に記載のコンピュータ読取可能な記憶媒体。
【請求項２８】
１または複数のプロセッサによって実行可能な、格納された無線通信のための命令群を有するコンピュータ読取可能な記憶媒体であって、
前記命令群は、
前記ＣＤの新たなバージョンが有効になる前に、チャネル・ディスクリプタ（ＣＤ）の新たなバージョンを含む複数のメッセージと、前記ＣＤの現在のバージョンを含む複数のメッセージとを基地局からある期間中同時に受信するための命令群と、ここにおいて、前記ＣＤの新たなバージョンを含む前記複数のメッセージは、同時受信期間中、前記ＣＤの現在のバージョンを含む前記複数のメッセージよりも、頻繁に受信される、
前記ＣＤの新たなバージョンが、後のフレームで送信されるべきであることを示すインジケーションを前記基地局から受信するための命令群と、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記後のフレームで前記ＣＤの新たなバージョンを取得するための命令群と、を備えるコンピュータ読取可能な記憶媒体。
【請求項２９】
前記インジケーションは、前記ＣＤが送信されるべき、前記後のフレームのフレーム番号を備える、請求項２８に記載のコンピュータ読取可能な記憶媒体。
【請求項３０】
前記インジケーションは、前記後のフレームで送信されるべきＣＤのバージョンが新しいことを示すフラグを備える、請求項２８に記載のコンピュータ読取可能な記憶媒体。
【請求項３１】
異なる後のフレームにおいて送信されるべきであるＣＤのバージョンが、以前に取得されたバージョンであることを示すインジケーションを、基地局から受信するための命令群と、
前記異なる後のフレームで送信されたバージョンを復号することを控えるための命令群と、をさらに備える請求項２８に記載のコンピュータ読取可能な記憶媒体。
【請求項３２】
前記後のフレームで送信されたバージョンを復号することを控えるための命令群は、
スリープ・モードに残るための命令群と、
前記以前に取得されたＣＤのバージョンが送信されるべきである後のフレームの間、近隣の基地局をスキャンするための命令群と、のうちの少なくとも１つを備える、請求項３１に記載のコンピュータ読取可能な記憶媒体。
【発明の詳細な説明】
【技術分野】
【０００１】
本開示のある実施形態は、一般に、無線通信に関し、さらに詳しくは、ダウンリンク・チャネル・ディスクリプタ（ＤＣＤ）メッセージおよび／またはアップリンク・チャネル・ディスクリプタ（ＵＣＤ）メッセージの異なるバージョン間での移行に関する。
【発明の概要】
【０００２】
本開示のある実施形態は、無線通信のための方法を提供する。この方法は一般に、チャネル・ディスクリプタ（ＣＤ）の新たなバージョンを取得することと、ＣＤの新たなバージョンが有効になる前に、ＣＤの新たなバージョンと、ＣＤの現在のバージョンとを含むメッセージを送信することと、ＣＤの新たなバージョンが有効になった後、少なくとも、ＣＤの別の新たなバージョンが取得されるまで、ＣＤの新たなバージョンを含むメッセージのみを送信することとを含む。
【０００３】
本開示のある実施形態は、無線通信のための方法を提供する。この方法は一般に、チャネル・ディスクリプタ（ＣＤ）の新たなバージョンが後のフレームで送信されるべきであることを示すインジケーションを、基地局から受信することと、ＣＤの新たなバージョンが有効になる前に、その後のフレームでＣＤを取得することとを含む。
【０００４】
本開示のある実施形態は、無線通信のための装置を提供する。この装置は一般に、チャネル・ディスクリプタ（ＣＤ）の新たなバージョンを取得するためのロジックと、ＣＤの新たなバージョンが有効になる前に、ＣＤの新たなバージョンと、ＣＤの現在のバージョンとを含むメッセージを送信するためのロジックと、ＣＤの新たなバージョンが有効になった後、少なくとも、ＣＤの別の新たなバージョンが取得されるまで、ＣＤの新たなバージョンを含むメッセージのみを送信するためのロジックと、を含む。
【０００５】
本開示のある実施形態は、無線通信のための装置を提供する。この装置は一般に、チャネル・ディスクリプタ（ＣＤ）の新たなバージョンが後のフレームで送信されるべきであることを示すインジケーションを基地局から受信するためのロジックと、ＣＤの新たなバージョンが有効になる前に、その後のフレームでＣＤを取得するためのロジックとを含む。
【０００６】
本開示のある実施形態は、無線通信のための装置を提供する。この装置は一般に、チャネル・ディスクリプタ（ＣＤ）の新たなバージョンを取得する手段と、ＣＤの新たなバージョンが有効になる前に、ＣＤの新たなバージョンと、ＣＤの現在のバージョンとを含むメッセージを送信する手段と、ＣＤの新たなバージョンが有効になった後、少なくとも、ＣＤの別の新たなバージョンが取得されるまで、ＣＤの新たなバージョンを含むメッセージのみを送信する手段と、を含む。
【０００７】
本開示のある実施形態は、無線通信のための装置を提供する。この装置は一般に、チャネル・ディスクリプタ（ＣＤ）の新たなバージョンが後のフレームで送信されるべきであることを示すインジケーションを基地局から受信する手段と、ＣＤの新たなバージョンが有効になる前に、その後のフレームでＣＤを取得する手段と、を含む。
【０００８】
本開示のある実施形態は、１または複数のプロセッサによって実行可能な、格納された命令群を有するコンピュータ読取可能な媒体を備える、無線通信のためのコンピュータ・プログラム製品を提供する。これら命令群は一般に、チャネル・ディスクリプタ（ＣＤ）の新たなバージョンを取得するための命令群と、ＣＤの新たなバージョンが有効になる前に、ＣＤの新たなバージョンと、ＣＤの現在のバージョンとを含むメッセージを送信するための命令群と、ＣＤの新たなバージョンが有効になった後、少なくとも、ＣＤの別の新たなバージョンが取得されるまで、ＣＤの新たなバージョンを含むメッセージのみを送信するための命令群と、を含む。
【０００９】
本開示のある実施形態は、１または複数のプロセッサによって実行可能な、格納された命令群を有するコンピュータ読取可能な媒体を備える、無線通信のためのコンピュータ・プログラム製品を提供する。これら命令群は一般に、チャネル・ディスクリプタ（ＣＤ）の新たなバージョンが後のフレームで送信されるべきであることを示すインジケーションを基地局から受信するための命令群と、ＣＤの新たなバージョンが有効になる前に、その後のフレームでＣＤを取得するための命令群と、を含む。
【００１０】
本願のある実施形態では、上記発明の概要のうちの１または複数において説明したように、チャネル・ディスクリプタ（ＣＤ）は、例えば、ダウンリンク・チャネル・ディスクリプタ（ＤＣＤ）のうちの１または複数、および／または、アップリンク・チャネル・ディスクリプタ（ＵＣＤ）のうちの１または複数、を含みうる。
【図面の簡単な説明】
【００１１】
本開示の上述された特徴が詳細に理解されるように、いくつかが添付図面で例示されているより具体的な記述や、上述された要約が、実施形態に対して参照によって示されうる。しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある種の実施形態による、無線通信システムを例示する。
【図２】図２は、本開示のある種の実施形態による、無線デバイス内で利用できるさまざまな構成要素を例示する。
【図３】図３は、本開示のある実施形態にしたがう送信機および受信機の例を例示する。
【図４】図４は、ダウンリンク・チャネル・ディスクリプタ（ＤＣＤ）および／またはアップリンク・チャネル・ディスクリプタ（ＵＣＤ）の新たなバージョンの、基地局による従来式の周期的なブロードキャストを例示する。
【図５】図５は、本開示のある実施形態にしたがって、ＤＣＤ／ＵＣＤを備えたメッセージをブロードキャストするための動作の例のフロー図である。
【図５Ａ】図５Ａは、本開示のある実施形態にしたがって、ＤＣＤ／ＵＣＤを備えたメッセージをブロードキャストするための図５の動作の例に対応する手段のブロック図である。
【図６】図６は、図５に例示された動作に対応するブロードキャストの例を例示する。
【図７】図７は、本開示のある実施形態にしたがって、到来するＤＣＤ／ＵＣＤブロードキャストのバージョンを、移動局（ＭＳ）へ示すための動作の例のフロー図を例示する。
【図７Ａ】図７Ａは、本開示のある実施形態にしたがって、到来するＤＣＤ／ＵＣＤブロードキャストのバージョンを、ＭＳへ示すための図７の動作の例に対応する手段のブロック図である。
【図８】図８は、本開示のある実施形態にしたがう、ブロードキャスト制御ポインタ情報要素（ＩＥ）のフォーマットの例を例示する。
【図９】図９は、図７に例示された動作に基づくブロードキャストの例を例示する。
【図１０】図１０は、本開示のある実施形態にしたがって、到来するＤＣＤ／ＵＣＤブロードキャストをどのようにして取り扱うのかを決定するための動作のフロー図を例示する。
【図１０Ａ】図１０Ａは、本開示のある実施形態にしたがって、到来するＤＣＤ／ＵＣＤブロードキャストをどのようにして取り扱うのかを決定するための図１０の動作の例に対応する手段のブロック図である。
【発明を実施するための形態】
【００１２】
例えばＷｉＭＡＸシステムのような無線通信システムでは、チャネル・ディスクリプタ（ＣＤ）メッセージが、ダウンリンク・チャネルおよび／またはアップリンク・チャネルの物理特性に関する情報を提供する。本願で使用されるように、ＣＤメッセージは、少なくとも１つのダウンリンク・チャネル・ディスクリプタ（ＤＣＤ）、または少なくとも１つのアップリンク・チャネル・ディスクリプタ（ＵＣＤ）、または、時として（ＤＣＤ／ＵＣＤ）の両方のうちの１または複数、の何れかを称する。これらの物理特性は、ダウンリンク／アップリンク・チャネルに関連付けられた、さまざまなタイプの変調スキームおよび符号化スキームや、順方向誤り訂正（ＦＥＣ）符号を含みうる。移動局（ＭＳ）は、ダウンリンク／アップリンク・チャネルによる通信のために、これら物理特性に関する情報を使用しうる。
【００１３】
モバイルＭＳにこれら物理特性を通信するために、基地局（ＢＳ）は、ＤＣＤ／ＵＣＤメッセージを周期的にブロードキャストしうる。ＭＳは、物理特性を決定するために、これらのメッセージを受信および解析しうる。物理特性は経時的に変化しうるので、ダウンリンク／アップリンク・チャネル・ディスクリプタ（ＤＣＤ／ＵＣＤ）メッセージの新たなバージョンが、ＢＳによってブロードキャストされる。ＢＳは、ブロードキャストされたＤＣＤ／ＵＣＤのバージョンをＭＳへ示すために、ＤＣＤ／ＵＣＤメッセージのバージョンを示す設定変更カウント（ＣＣＣ）フィールドを使用しうる。
【００１４】
ＤＣＤ／ＵＣＤの新たなバージョンが有効になった場合、ＢＳは一般に、ＤＣＤ／ＵＣＤメッセージの新たなバージョンをブロードキャストするので、ＭＳは、情報を取得し、新たなバージョンが有効になると、スムーズに移行しうる。不運にも、このアプローチは、限界がありうる。例えば、ＤＣＤ／ＵＣＤの新たなバージョンがブロードキャストされた場合、いくつかのＭＳは、ペンディングの通信を実行するために、ＤＣＤ／ＵＣＤの現在のバージョンをいまだに待っていることがありうる。例えば、これらのＭＳは、スリープ・モードにあるか、または近隣のＢＳをスキャンしている場合、ＤＣＤ／ＵＣＤメッセージの早期のブロードキャストを喪失しうる。何れにせよ、これらのＭＳは、ＤＣＤ／ＵＣＤの現在のバージョンを受信するまで、通信を保留しなくてはならない。これは、パフォーマンスの低下と、恐らくは、望ましくないユーザ経験とをもたらしうる。
【００１５】
本開示のある実施形態は、ＷｉＭａｘシステムにおいて、ダウンリンク・チャネル・ディスクリプタＤＣＤ／アップリンク・チャネル・ディスクリプタ（ＵＣＤ）のバージョン変化の取り扱いを強化する方法を提供する。ある実施形態によれば、基地局（ＢＳ）は、ＤＣＤ／ＵＣＤの現在のバージョンを備えたメッセージと、新たなバージョンを備えたメッセージとを、１または複数の移動局（ＭＳ）に同時に送信しうる。ＤＣＤ／ＵＣＤの現在のバージョンおよび新たなバージョンの送信によって、ＭＳは、所望するいずれかのバージョンを確実に受信できるようになる。したがって、ＤＣＤ／ＵＣＤの現在のバージョンを受信しなかったＭＳは、スリープ・モードにあること、または、他の動作を実行することによって、現在のバージョンを受信しうる。ＤＣＤ／ＵＣＤの現在のバージョンをすでに保持しているＭＳは、新たなバージョンを受信しうる。これらのＭＳは、ＤＣＤ／ＵＣＤの新たなバージョンが有効になった場合、ダウンリンク／アップリンク通信を実行するために、ＤＣＤ／ＵＣＤの新たなバージョンを受信することを望みうる。
【００１６】
ある実施形態によれば、ＢＳは、ＤＣＤ／ＵＣＤを備える次のメッセージを備えるフレームのフレーム番号と、このメッセージに含まれるＤＣＤ／ＵＣＤのバージョンが新しいかを示す新バージョン・フラグとを含むブロードキャスト制御ポインタ情報要素（ＩＥ）を送信しうる。ＭＳは、新バージョン・フラグに基づいて、このメッセージにおけるＤＣＤ／ＵＣＤのバージョンが、受信したいバージョンであると判定すると、ブロードキャスト制御ポインタＩＥにおいて示されたフレームで、このメッセージを受信しうる。ＭＳは、このメッセージにおけるＤＣＤ／ＵＣＤのバージョンが、探しているバージョンではないと判定すると、このメッセージを無視しうる。新バージョン・フラグに基づいてメッセージを無視することは、利点を有しうる。例えば、ＭＳは、メッセージを受信できるようになる代わりに、スリープ・モードに入ることによって電力を節約することを選択するか、または、例えば近隣のＢＳをスキャンすること等のようなその他の有用な動作を実行することを選択しうる。
【００１７】
（典型的な無線通信システム）  
本明細書に記載された技術は、直交多重化スキームに基づく通信システムを含むさまざまなブロードバンド無線通信システムのために使用される。そのような通信システムの例は、直交周波数分割多元接続（ＯＦＤＭＡ）システム、シングル・キャリア周波数分割多元接続（ＳＣ−ＦＤＭＡ）システム等を含んでいる。ＯＦＤＭＡシステムは、直交周波数分割多重化（ＯＦＤＭ）を利用する。それは、システム帯域幅全体を、複数の直交サブキャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１８】
直交多重化スキーム基づく通信システムの一例は、ＷｉＭＡＸシステムである。ワールドワイド・インタオペラビリティ・フォー・マイクロウェーブ・アクセスを意味するＷｉＭＡＸは、長距離にわたる高スループット・ブロードバンド接続を提供する規格ベースのブロードバンド無線技術である。今日、ＷｉＭＡＸの２つの主要なアプリケーション、すなわち、固定ＷｉＭＡＸとモバイルＷｉＭＡＸとがある。固定ＷｉＭＡＸアプリケーションは、ポイント・トゥ・マルチポイントであり、例えば家庭および会社へのブロードバンド接続を可能にする。モバイルＷｉＭＡＸは、ＯＦＤＭおよびＯＦＤＭＡに基づき、ブロードバンド速度でセルラ・ネットワークの完全なモビリティを提供する。
【００１９】
ＩＥＥＥ  ８０２．１６ｘは、固定式およびモバイルのブロードバンド無線アクセス（ＢＷＡ）システム用のエア・インタフェースを定義するための新生の規格体系である。これら規格は少なくとも４つの異なる物理レイヤ（ＰＨＹ）および１つの媒体アクセス制御（ＭＡＣ）レイヤを定義する。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００２０】
図１に、本開示の実施形態を使用できる無線通信システム１００の例を示す。この無線通信システム１００は、ブロードバンド無線通信システムでありうる。無線通信システム１００は、おのおのが基地局１０４によってサービスされる複数のセル１０２のために通信を提供しうる。基地局１０４は、ユーザ端末１０６と通信する固定局でありうる。基地局１０４は、その代わりに、アクセスポイント、Ｎｏｄｅ  Ｂ、またはある他の用語として称されうる。
【００２１】
図１は、システム１００全体に分散するさまざまなユーザ端末１０６を示す。ユーザ端末１０６は、固定式（すなわち、据置式）または移動式でありうる。ユーザ端末１０６は、代わりに、遠隔局、アクセス端末、端末、加入者ユニット、移動局、局、ユーザ機器等と称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００２２】
さまざまなアルゴリズムおよび方法を、無線通信システム１００内における基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２３】
基地局１０４からユーザ端末１０６への伝送を容易にする通信リンクは、ダウンリンク１０８と称され、ユーザ端末１０６から基地局１０４への伝送を容易にする通信リンクは、アップリンク１１０と称されうる。あるいは、ダウンリンク１０８を、順方向リンクまたは順方向チャネルと称したり、アップリンク１１０を、逆方向リンクまたは逆方向チャネルと称しうる。
【００２４】
セル１０２は、複数のセクタ１１２に分割されうる。セクタ１１２は、セル１０２内の物理的な有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２５】
図２に、無線通信システム１００内で適用されうる無線デバイス２０２内で利用できるさまざまな構成要素を示す。無線デバイス２０２は、本明細書で説明されるさまざまな方法を実施するために構成され得るデバイスの例である。無線デバイス２０２は、基地局１０４またはユーザ端末１０６でありうる。
【００２６】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２７】
無線デバイス２０２は、無線デバイス２０２と遠隔位置との間でのデータの伝送および受信を可能にする送信機２１０および受信機２１２を含むことができるハウジング２０８をも含みうる。送信機２１０および受信機２１２を、トランシーバ２１４に組み合わせることができる。アンテナ２１６をハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２８】
無線デバイス２０２は、トランシーバ２１４によって受信された信号を検出し、この信号のレベルを定量化する目的で使用される信号検出器２１８をも含みうる。信号検出器２１８は、合計エネルギ、擬似雑音（ＰＮ）チップ毎のパイロット・エネルギ、電力スペクトル密度、およびその他の信号のような信号を検出する。無線デバイス２０２は、信号を処理する際に使用されるデジタル信号プロセッサ（ＤＳＰ）２２０をも含みうる。
【００２９】
無線デバイス２０２のさまざまな構成要素を、データ・バスに加えて電力バス、制御信号バス、およびステータス信号バスを含むことができるバス・システム２２２によってともに結合することができる。
【００３０】
図３に、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００３１】
送信されるべきデータ３０６は、シリアル・パラレル（Ｓ／Ｐ）コンバータ３０８への入力として提供されるものとして図示されている。Ｓ／Ｐコンバータ３０８は、この送信データをＮ個の並列データ・ストリーム３１０に分割することができる。
【００３２】
Ｎ個の並列データ・ストリーム３１０は次に、マッパ３１２に入力として提供されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３３】
命名法に関する短い注釈を以下に示す。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボルあたりのガード・サンプルの個数）＋Ｎ（ＯＦＤＭシンボルあたりの有用なサンプルの個数）と等しい。
【００３４】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３５】
図３には、ＯＦＤＭ／ＯＦＤＭＡを利用する無線デバイス２０２内で使用される受信機３０４の例も示されている。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３６】
送信された信号３３２は、無線チャネル３３４を介して移動することが図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３７】
ガード除去構成要素３２６’の出力は、Ｓ／Ｐコンバータ３２４’に提供されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３８】
デマッパ３１２’は、マッパ３１２によって実行されたシンボル・マッピング動作の逆を実行し、これによって、Ｎ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として提供されたデータ３０６に対応する。
【００３９】
（ＤＣＤ／ＵＣＤの新たなバージョンの典型的なブロードキャスト）  
図４は、ＷｉＭＡＸシステムにおける、ダウンリンク・チャネル・ディスクリプタＤＣＤ／アップリンク・チャネル・ディスクリプタ（ＵＣＤ）の新たなバージョンの、基地局（ＢＳ）による従来式の周期的なブロードキャスト４００を例示する。例示されるように、ＢＳは、ＤＣＤ／ＵＣＤメッセージ４１０を周期的にブロードキャストしうる。ＭＳは、メッセージに含まれた情報にアクセスするために、このメッセージの受信および解析を行いうる。ＢＳは、ＤＣＤ／ＵＣＤの新たなバージョンをブロードキャストすることにより、ＭＳに対して、物理特性の変化について通知しうる。ＢＳは、ＭＳへ新たなバージョンを示すために、ＤＣＤ／ＵＣＤを含むメッセージ４１０の設定変更カウント（ＣＣＣ）フィールドを使用しうる。ＣＣＣフィールドの値は、メッセージに含まれたＤＣＤ／ＵＣＤのバージョンと等しくなりうる。ＤＣＤ／ＵＣＤの現在のバージョンは、例えば図４におけるメッセージ４２０のような周期的なブロードキャスト・ダウンリンク・マップ（ＤＬ−ＭＡＰ）／アップリンク・マップ（ＵＬ−ＭＡＰ）メッセージによって、ＭＳへ示されうる。ＤＬ／ＵＬ−ＭＡＰメッセージは、ＤＣＤ／ＵＣＤの現在使用されているバージョンの設定変更カウント（ＣＣＣ）に等しい値を持つＤＣＤ／ＵＣＤカウント・フィールドを含みうる。
【００４０】
ＤＣＤ／ＵＣＤの新たなバージョンが有効になった時（例えば、図に示す時間４３０）、ＭＳが、この新たなバージョンを、ダウンリンク／アップリンク通信のために使用することが望まれうる。これを容易にするために、ＢＳは一般に、時間４３０において、新たなバージョンが実際に有効になる前に、ＤＣＤ／ＵＣＤの新たなバージョン（例えば、“ｋ＋１”）を含むメッセージ４１０をブロードキャストし、これによって、ＭＳがＤＣＤ／ＵＣＤの新たなバージョンを保持していない場合、発生しうるサービスの切断が回避、または、少なくとも最小化される。ＤＣＤ／ＵＣＤの新たなバージョンが有効になると、ＤＣＤ／ＵＣＤの新たなバージョンが現在のバージョンであることを示すために、ＤＬ／ＵＬ−ＭＡＰメッセージ４２０のＤＣＤ／ＵＣＤカウント・フィールドにおけるＣＣＣ値が、１ずつインクリメントされうる。したがって、図から理解されるように、ＤＬ／ＵＬ−ＭＡＰメッセージ４２０におけるＣＣＣの値は、時間４３０の前は“ｋ”であり、時間４３０の後は“ｋ＋１”である。ＢＳが、ＣＣＣが更新されたこのＤＬ／ＵＬ−ＭＡＰメッセージをブロードキャストして、バージョンの変更を示す場合、ＭＳは、ダウンリンク／アップリンク通信のために、ＤＣＤ／ＵＣＤの新たなバージョンに切り換えることができる。時間４３０の後、ＢＳは、ＤＣＤ／ＵＣＤの現在の（すなわち、以前の新たな）バージョンを持つメッセージ４１０をブロードキャストし続ける。
【００４１】
上述するように、ある環境では、１または複数のＭＳは、例えば、ＭＳがスリープ・モードまたはスキャン・モードである場合、新たなバージョンが有効になる前に、通信のためのＤＣＤ／ＵＣＤの現在のバージョンを必要としうる。しかしながら、本開示のある実施形態は、このようなＭＳがＤＣＤ／ＵＣＤの現在のバージョンを取得できることを保証することに役立ちうる。
【００４２】
（ＤＣＤ／ＵＣＤを備えたメッセージをブロードキャストするための典型的な技術）  
図５は、本開示のある実施形態にしたがって、ＤＣＤ／ＵＣＤをブロードキャストするための動作５００の例のフロー図を例示する。この動作は、例えば、ＤＣＤ／ＵＣＤの現在のバージョンを示すために、ＤＣＤ／ＵＣＤカウント・フィールドを備えるＤＬ／ＵＬ−ＭＡＰメッセージを利用するＢＳによって実行されうる。
【００４３】
動作５００は、ＢＳがＤＣＤ／ＵＣＤの新たなバージョンを取得する５１０で始まる。前述したように、ダウンリンク・チャネルまたはアップリンク・チャネルの物理特性が変わると、ＤＣＤ／ＵＣＤは新たなバージョンになる。ＭＳに通信されたこの新たなバージョンのＤＣＤ／ＵＣＤによって、新たなバージョンが有効になった場合に、ＭＳは、アップリンク／ダウンリンク通信を準備できるようになる。
【００４４】
５２０では、ＢＳが、ＤＣＤ／ＵＣＤの現在のバージョンを備えるメッセージと、ＤＣＤ／ＵＣＤの新たなバージョンを備えるメッセージとを同時に送信する。この結果、現在のバージョンをすでに受信しているＭＳは、新たなバージョンを受信しうる。そして、新たなバージョンが有効になった場合には、直ちに、通信の準備ができるだろう。さらに、ＤＣＤ／ＵＣＤの現在のバージョンを以前に受信していないＭＳは、これを受信し、新たなバージョンが有効になる前に通信できるだろう。
【００４５】
５３０では、ＢＳは、新たなバージョンが有効になった後、ＤＣＤ／ＵＣＤの新たなバージョンのみを送信しうる。ＤＣＤ／ＵＣＤの新たなバージョンが有効になると、それが、現在のバージョンになりうる。ＤＣＤ／ＵＣＤの以前の現在のバージョンは、今や古くなり、もはやブロードキャストされない。ＤＬ／ＵＬ−ＭＡＰメッセージのＤＣＤ／ＵＣＤカウント・フィールドにおけるＣＣＣの値は、新たなバージョンが、現在のバージョンであることを示すために、インクリメントされうる。
【００４６】
図６は、図５に例示された動作５００に対応する、ＢＳによるブロードキャスト６００の例を例示する。図示するように、（ＣＣＣ＝ｋ＋１によって示されるように、）ＤＣＤ／ＵＣＤメッセージの新たなバージョンが有効になる前に、ＢＳは、ＤＣＤ／ＵＣＤの新たなバージョンを含むメッセージ４１０と、ＤＣＤ／ＵＣＤの現在のバージョンを含むメッセージ６１０との両方を送信しうる。
【００４７】
前述したように、ＤＣＤ／ＵＣＤの現在のバージョンの受信を希望するＭＳは、この送信から利益を得ることができうる。ＭＳは、メッセージに含まれるＤＣＤ／ＵＣＤのバージョンを、このメッセージのＣＣＣフィールドから、識別しうる。したがって、図５に示すように、“ｋ”は、ＤＣＤ／ＵＣＤの現在のバージョンを示し、“ｋ＋１”は、ＤＣＤ／ＵＣＤの新たなバージョンを示しうる。例示するように、ある実施形態によれば、ＢＳは、（異なる、より長い周期Ｔで送信された）メッセージ６１０よりも、頻繁に（たとえば、周期Ｔ１で）メッセージ４１０を送信しうる。ＴとＴ１は、ＢＳのために、ネットワークによって決定されうる。
【００４８】
例示されるように、メッセージ４１０の送信は、ＤＣＤ／ＵＣＤの新たなバージョンが有効になった場合、時間４３０よりも前の時間Ｄにおいて始まる。Ｄの値は、比率Ｄ／Ｔ１が適切な値（例えば、Ｄ／Ｔ１＞２）になるように選択されうる。これによって、ＭＳは、ＤＣＤ／ＵＣＤの新たなバージョンの複数のブロードキャストを確実に受信できるようになる。もって、新たなバージョンが有効になる前に、１または複数の受信されたブロードキャストの誤りの検出および訂正が容易となる。ＢＳは、ＢＳのために無線通信システムによって決定された通常の周期（例えば、Ｔ）でメッセージ６１０を送信しうる。移行周期の長さ（すなわち、Ｄ）の短縮と、新たなバージョンが有効になる前にＤＣＤ／ＵＣＤの新たなバージョンの複数のブロードキャストを保証することをＢＳが望むのであれば、ＢＳは、Ｔ１がＴより短くなるようにＴ１を選択しうる。
【００４９】
ＤＣＤ／ＵＣＤの新たなバージョンが有効になった後、ＢＳは、（次のバージョンが取得されるまで）ＤＣＤ／ＵＣＤの新たなバージョンを含むメッセージ４１０のみを送信しうる。新たなバージョンが有効になった後、送信は、第１のフレームから始まる。現在使用されているＤＣＤ／ＵＣＤのバージョンを示すために、ＤＣＤ／ＵＣＤカウント・フィールドを備えたＤＬ／ＵＬ−ＭＡＰメッセージ４２０が使用されうる。したがって、図示するように、使用中のバージョンは、時間４３０の前は“ｋ”であり、時間４３０の後は“ｋ＋１”でありうる。
【００５０】
時間４３０の後、ＤＣＤ／ＵＣＤの新たなバージョンを備えるメッセージ４１０を正しく受信したＭＳは、新たなバージョンに基づいてダウンリンク／アップリンク通信を実行することができうる。新たなバージョンが有効になる前に、新たなバージョンまたは現在のバージョンのいずれかを正しく受信しなかったＭＳは、新たなバージョンを備えるメッセージ４１０を受信することを期待しうる。
【００５１】
（次代のＤＣＤ／ＵＣＤブロードキャストのバージョンを示すための典型的な技術）  
従来のＷｉＭＡＸシステムでは、ＢＳは、ＤＣＤ／ＵＣＤを備える到来するメッセージを含むフレームをＭＳへ示すために、ＤＬ−ＭＡＰメッセージにおけるブロードキャスト制御ポインタ情報要素（ＩＥ）を使用しうる。ＭＳは、メッセージをいつ受信できるようになるべきかを判定するために、この情報を使用しうる。しかしながら、既存のブロードキャスト制御ポインタＩＥを制限すると、到来するＤＣＤ／ＵＣＤが新たなバージョンであるかを示すことができない。その結果、ＭＳは、すでに保持しているＤＣＤ／ＵＣＤの現在のバージョンのメッセージを無駄に待ち、復号しうる。そして、いくつかの場合には、スリープ・モードに入ることができず、電力の浪費をもたらす。
【００５２】
しかしながら、本開示のある実施形態によって、ＢＳは、到来するメッセージに含まれるＤＣＤ／ＵＣＤのバージョンをすでに受信しているか否かを示すインジケーションを、前もって、ＭＳに提供できるようになりうる。このインジケーションは、例えば、ブロードキャスト・ポインタＩＥにおける「新バージョン・フラグ」として提供されうる。この結果、ＭＳは、既に保持しているＤＣＤ／ＵＣＤメッセージを無駄に待ち、復号することを回避することができうる。
【００５３】
図７は、到来するＤＣＤ／ＵＣＤブロードキャストが、新たなバージョンを含むか、現在のバージョンを含むかをＭＳに示すための動作７００の例のフロー図を例示する。動作７００は、例えば、ＢＳによって実行されうる。
【００５４】
これら動作は、ＢＳが、ＤＣＤ／ＵＣＤの新たなバージョンを取得する７１０で始まりうる。７２０では、ＢＳは、ブロードキャスト制御ポインタＩＥを生成しうる。ブロードキャスト制御ポインタＩＥは、ＤＣＤ／ＵＣＤの新たなバージョンを含む次のブロードキャスト・メッセージを備えるフレームのフレーム番号を含むフィールドを含みうる。
【００５５】
７３０では、ＢＳは、次のブロードキャストＤＣＤ／ＵＣＤが新たなバージョンであることを示すために、ブロードキャスト制御ポインタＩＥに新バージョン・フラグを設定しうる。ＭＳは、ブロードキャスト制御ポインタＩＥを受信すると、ＤＣＤ／ＵＣＤを備える到来するメッセージをどのようにして取り扱うのかを決定できるようになりうる。
【００５６】
図８は、本開示のある実施形態にしたがうブロードキャスト制御ポインタＩＥのフォーマット８００の例を例示する。例示するように、ＩＥは、次のブロードキャストＤＣＤ／ＵＣＤのバージョンが新しい（現在のバージョンよりも新しい）のかを示すために設定されうるＤＣＤ＿ＵＣＤ新バージョン・フラグ８０２を含みうる。ＩＥはまた、対応するＤＣＤ／ＵＣＤメッセージを含むフレームのフレーム番号を示すＤＣＤ＿ＵＣＤ送信フレーム８０２を含みうる。ＭＳは、到来するＤＣＤ／ＵＣＤブロードキャストが、新たなバージョンまたは現在のバージョンを含んでいるのかを決定するために、また、送信されるフレーム番号を決定するために、この情報を使用しうる。
【００５７】
図９は、送信フレーム・フィールドおよび新バージョン・フラグを備えるブロードキャスト・ポインタＩＥ９２０を利用するブロードキャスト９００の例を例示する。例示されるように、ＤＣＤ−ＵＣＤ送信フレームは、ＤＣＤ／ＵＣＤメッセージを含むことになるその後のフレームのフレーム番号を示す。その後のフレームが、ＤＣＤ／ＵＣＤの新たなバージョンを含むべきである場合、新バージョン・フラグが１に設定される。この例では、ＤＣＤ／ＵＣＤの新バージョンは、フレームＮ２、Ｎ４、Ｎ５、Ｎ７、およびＮ８で送信される。新バージョンが有効になった後（ＣＣＣ＝ｋ＋１）、ＤＣＤ／ＵＣＤのバージョンを含むその後のフレームについて、新バージョン・フラグがゼロに設定される。
【００５８】
（到来するＤＣＤ／ＵＣＤブロードキャストを取り扱うための典型的な技術）  
図１０は、本開示のある実施形態にしたがって、例えば、次代のＤＣＤ／ＵＣＤブロードキャストをどのように取り扱うかを決定するために、ＭＳによって実行されうる動作１０００のフロー図を例示する。この動作の例は、ＭＳが既にＤＣＤ／ＵＣＤの現在のバージョンを有しており、新たなバージョンを取得する意向を持っている。
【００５９】
動作１０００は、ＭＳがブロードキャスト制御ポインタＩＥを受信する１０１０で始まる。図９に例示するように、ブロードキャスト制御ポインタＩＥは、ＤＣＤ／ＵＣＤを備える次のブロードキャスト・メッセージを伝送するフレームを示すために、例えばＤＣＤ＿ＵＣＤ送信フレームのような適切なフィールドと、メッセージ内のＤＣＤ／ＵＣＤのバージョンが新たなバージョンであるかを示す新バージョン・フラグとを含む。
【００６０】
１０２０では、ＭＳは、次のブロードキャストＤＣＤ／ＵＣＤのバージョンが新しいかを、新バージョン・フラグの値に基づいて判定する。ＭＳは、次のブロードキャストＤＣＤ／ＵＣＤのバージョンが新しいと判定した場合、１０３０において、次のブロードキャスト・メッセージに存在するＤＣＤ／ＵＣＤの新たなバージョンの受信および解析を行いうる。これを達成するために、ＭＳは、示されたフレームで新たなバージョンを受信できるようにするために、例えば、スリープ・モードまたは近隣ＢＳスキャンを利用不能にするアクティビティを見合わせうる。
【００６１】
１０４０において、ＭＳは、次のブロードキャストＤＣＤ／ＵＣＤのバージョンが現在のバージョンである（そして、ＭＳがこのバージョンを既に有している）と判定すると、ＤＣＤ／ＵＣＤを含む次のブロードキャスト・メッセージを単に無視しうる。ＭＳは、示されたフレームの時間中に、スキャンするか、スリープになるか、を選択しうるので、このアプローチの利点は、電力消費量を低減することでありうる。
【００６２】
上述した動作は、多くのｍｅａｎｓ−ｐｌｕｓ−ｆｕｎｃｔｉｏｎブロックに対応するさまざまなハードウェア構成要素および／またはソフトウェア構成要素および／またはモジュールによって実行されうる。例えば、図５、７、１０の動作５００、７００、１０００は、図５Ａ、７Ａ、１０Ａのｍｅａｎｓ−ｐｕｌｓ−ｆｕｎｃｔｉｏｎブロック５００Ａ、７００Ａ、１０００Ａに対応しうる。
【００６３】
本明細書で使用される場合、用語「判定すること」は、さまざまな動作を含む。例えば、「判定すること」は、計算、コンピューティング、処理、導出、調査、ルックアップ（例えば、テーブル、データベース、または他のデータ構造内のルックアップ）、確認等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００６４】
情報および信号を、さまざまな異なる技術および技法のいずれかを使用して表すことができる。例えば、上記説明全体を通じて称されうるデータ、命令、コマンド、情報、信号等を、電圧、電流、電磁波、磁場または磁性粒子、光場または光粒子、あるいはその任意の組合せによって表すことができる。
【００６５】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６６】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００６７】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６８】
記載された機能は、ハードウェア、ソフトウェア、ファームウェア、あるいは、これらの任意の組み合わせによって実現されうる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。ディスク（ｄｉｓｋおよびｄｉｓｃ）は、本明細書で使用される場合、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含み、ｄｉｓｋは、通常は磁気的にデータを再生し、ｄｉｓｃは、レーザを用いて光学的にデータを再生する。
【００６９】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００７０】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７１】
特許請求の範囲が、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
以下に本願出願当初の特許請求の範囲を付記する。
[Ｃ１]  無線通信のための方法であって、
チャネル・ディスクリプタ（ＣＤ）の新たなバージョンを取得することと、
前記ＣＤの新たなバージョンが有効になる前に、前記ＣＤの新たなバージョンと、前記ＣＤの現在のバージョンとを含むメッセージを送信することと、
前記ＣＤの新たなバージョンが有効になった後、少なくとも、前記ＣＤの別の新たなバージョンが取得されるまで、前記ＣＤの新たなバージョンを含むメッセージのみを送信することと、を備える方法。
[Ｃ２]  前記ＣＤの新たなバージョンを含むメッセージが送信されるべきであるフレームのフレーム番号を、ブロードキャスト制御ポインタ情報要素（ＩＥ）で送信することをさらに備える、Ｃ１に記載の方法。
[Ｃ３]  前記ＣＤの新たなバージョンが送信されるべきであることを示すために、前記ブロードキャスト制御ポインタＩＥにフラグを設定することをさらに備える、Ｃ２に記載の方法。
[Ｃ４]  前記ＣＤメッセージの新たなバージョンが有効になる前に、前記ＣＤメッセージの新たなバージョンと、前記ＣＤメッセージの現在のバージョンとを含むメッセージを送信することは、前記ＣＤの新たなバージョンを含むメッセージを、前記ＣＤの現在のバージョンを含むメッセージよりも、頻繁に送信することを備える、Ｃ１に記載の方法。
[Ｃ５]  無線通信のための方法であって、
チャネル・ディスクリプタ（ＣＤ）の新たなバージョンが、後のフレームで送信されるべきであることを示すインジケーションを基地局から受信することと、
前記ＣＤの新たなバージョンが有効になる前に、前記後のフレームでＣＤを取得することと、を備える方法。
[Ｃ６]  前記インジケーションは、前記ＣＤが送信されるべき前記後のフレームのフレーム番号を備える、Ｃ５に記載の方法。
[Ｃ７]  前記インジケーションは、前記後のフレームで送信されるべきＣＤのバージョンが新しいことを示すフラグを備える、Ｃ５に記載の方法。
[Ｃ８]  後のフレームにおいて送信されるべきであるチャネル・ディスクリプタ（ＣＤ）のバージョンが、以前に取得されたバージョンであることを示すインジケーションを、基地局から受信することと、
これに応じて、前記後のフレームで送信されたバージョンを復号することを控えることと、をさらに備えるＣ５に記載の方法。
[Ｃ９]  前記後のフレームで送信されたバージョンを復号することを控えることは、スリープ・モードに残ることと、前記以前に取得されたＣＤのバージョンが送信されるべきである、前記後のフレームの間、近隣の基地局をスキャンすることと、のうちの少なくとも１つを備える、Ｃ８に記載の方法。
[Ｃ１０]  無線通信のための装置であって、
チャネル・ディスクリプタ（ＣＤ）の新たなバージョンを取得するためのロジックと、
前記ＣＤの新たなバージョンが有効になる前に、前記ＣＤの新たなバージョンと、前記ＣＤの現在のバージョンとを含むメッセージを送信するためのロジックと、
前記ＣＤの新たなバージョンが有効になった後、少なくとも、前記ＣＤの別の新たなバージョンが取得されるまで、前記ＣＤの新たなバージョンを含むメッセージのみを送信するためのロジックと、を備える装置。
[Ｃ１１]  前記ＣＤの新たなバージョンを含むメッセージが送信されるべきであるフレームのフレーム番号を、ブロードキャスト制御ポインタ情報要素（ＩＥ）で送信するためのロジックをさらに備える、Ｃ１０に記載の装置。
[Ｃ１２]  前記ＣＤの新たなバージョンが送信されるべきであることを示すために、前記ブロードキャスト制御ポインタＩＥにフラグを設定するためのロジックをさらに備える、Ｃ１１に記載の装置。
[Ｃ１３]  前記ＣＤメッセージの新たなバージョンが有効になる前に、前記ＣＤメッセージの新たなバージョンと、前記ＣＤメッセージの現在のバージョンとを含むメッセージを送信するためのロジックは、前記ＣＤの新たなバージョンを含むメッセージを、前記ＣＤの現在のバージョンを含むメッセージよりも、頻繁に送信するためのロジックを備える、Ｃ１０に記載の装置。
[Ｃ１４]  無線通信のための装置であって、
チャネル・ディスクリプタ（ＣＤ）の新たなバージョンが後のフレームで送信されるべきであることを示すインジケーションを基地局から受信するためのロジックと、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記後のフレームでＣＤを取得するためのロジックと、を備える装置。
[Ｃ１５]  前記インジケーションは、前記ＣＤが送信されるべき、前記後のフレームのフレーム番号を備える、Ｃ１４に記載の装置。
[Ｃ１６]  前記インジケーションは、前記後のフレームで送信されるべきＣＤのバージョンが新しいことを示すフラグを備える、Ｃ１４に記載の装置。
[Ｃ１７]  後のフレームにおいて送信されるべきであるチャネル・ディスクリプタ（ＣＤ）のバージョンが、以前に取得されたバージョンであることを示すインジケーションを、基地局から受信し、前記後のフレームで送信されたバージョンを復号することを控えるためのロジックをさらに備える、Ｃ１４に記載の装置。
[Ｃ１８]  前記後のフレームで送信されたバージョンを復号することを控えることは、スリープ・モードに残ることと、前記以前に取得されたＣＤのバージョンが送信されるべきである、前記後のフレームの間、近隣の基地局をスキャンすることと、のうちの少なくとも１つを備える、Ｃ１７に記載の装置。
[Ｃ１９]  無線通信のための装置であって、
チャネル・ディスクリプタ（ＣＤ）の新たなバージョンを取得する手段と、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記ＣＤの新たなバージョンと、前記ＣＤの現在のバージョンとを含むメッセージを送信する手段と、
前記ＣＤの新たなバージョンが有効になった後、少なくとも、前記ＣＤの別の新たなバージョンが取得されるまで、前記ＣＤの新たなバージョンを含むメッセージのみを送信する手段と、を備える装置。
[Ｃ２０]  前記ＣＤの新たなバージョンを含むメッセージが送信されるべきであるフレームのフレーム番号を、ブロードキャスト制御ポインタ情報要素（ＩＥ）で送信する手段をさらに備える、Ｃ１９に記載の装置。
[Ｃ２１]  前記ＣＤの新たなバージョンが送信されるべきであることを示すために、前記ブロードキャスト制御ポインタＩＥにフラグを設定する手段をさらに備える、Ｃ２０に記載の装置。
[Ｃ２２]  前記ＣＤメッセージの新たなバージョンが有効になる前に、前記ＣＤメッセージの新たなバージョンと、前記ＣＤメッセージの現在のバージョンとを含むメッセージを送信する手段は、前記ＣＤの新たなバージョンを含むメッセージを、前記ＣＤの現在のバージョンを含むメッセージよりも、頻繁に送信する手段を備える、Ｃ１９に記載の装置。
[Ｃ２３]  無線通信のための装置であって、
チャネル・ディスクリプタ（ＣＤ）の新たなバージョンが後のフレームで送信されるべきであることを示すインジケーションを基地局から受信する手段と、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記後のフレームでＣＤを取得する手段と、を備える装置。
[Ｃ２４]  前記インジケーションは、前記ＣＤが送信されるべき、前記後のフレームのフレーム番号を備える、Ｃ２３に記載の装置。
[Ｃ２５]  前記インジケーションは、前記後のフレームで送信されるべきＣＤのバージョンが新しいことを示すフラグを備える、Ｃ２３に記載の装置。
[Ｃ２６]  後のフレームにおいて送信されるべきであるチャネル・ディスクリプタ（ＣＤ）のバージョンが、以前に取得されたバージョンであることを示すインジケーションを、基地局から受信し、前記後のフレームで送信されたバージョンを復号することを控える手段をさらに備える、Ｃ２３に記載の装置。
[Ｃ２７]  前記後のフレームで送信されたバージョンを復号することを控えることは、スリープ・モードに残ることと、前記以前に取得されたＣＤのバージョンが送信されるべきである、後のフレームの間、近隣の基地局をスキャンすることと、のうちの少なくとも１つを備える、Ｃ２６に記載の装置。
[Ｃ２８]  １または複数のプロセッサによって実行可能な、格納された命令群を有するコンピュータ読取可能な媒体を備える、無線通信のためのコンピュータ・プログラム製品であって、前記命令群は、
チャネル・ディスクリプタ（ＣＤ）の新たなバージョンを取得するための命令群と、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記ＣＤの新たなバージョンと、前記ＣＤの現在のバージョンとを含むメッセージを送信するための命令群と、
前記ＣＤの新たなバージョンが有効になった後、少なくとも、前記ＣＤの別の新たなバージョンが取得されるまで、前記ＣＤの新たなバージョンを含むメッセージのみを送信するための命令群と、を備えるコンピュータ・プログラム製品。
[Ｃ２９]  前記ＣＤの新たなバージョンを含むメッセージが送信されるべきであるフレームのフレーム番号を、ブロードキャスト制御ポインタ情報要素（ＩＥ）で送信するための命令群さらに備える、Ｃ２８に記載のコンピュータ・プログラム製品。
[Ｃ３０]  前記ＣＤの新たなバージョンが送信されるべきであることを示すために、前記ブロードキャスト制御ポインタＩＥにフラグを設定するための命令群さらに備える、Ｃ２９に記載のコンピュータ・プログラム製品。
[Ｃ３１]  前記ＣＤメッセージの新たなバージョンが有効になる前に、前記ＣＤメッセージの新たなバージョンと、前記ＣＤメッセージの現在のバージョンとを含むメッセージを送信するための命令群は、前記ＣＤの新たなバージョンを含むメッセージを、前記ＣＤの現在のバージョンを含むメッセージよりも、頻繁に送信するための命令群を備える、Ｃ２８に記載のコンピュータ・プログラム製品。
[Ｃ３２]  １または複数のプロセッサによって実行可能な、格納された命令群を有するコンピュータ読取可能な媒体を備える、無線通信のためのコンピュータ・プログラム製品であって、前記命令群は、
チャネル・ディスクリプタ（ＣＤ）の新たなバージョンが、後のフレームで送信されるべきであることを示すインジケーションを基地局から受信するための命令群と、ここで、前記ＣＤは、ダウンリンクＣＤ（ＤＣＤ）およびアップリンクＣＤ（ＵＣＤ）のうちの少なくとも１つを備える、
前記ＣＤの新たなバージョンが有効になる前に、前記後のフレームでＣＤを取得するための命令群と、を備えるコンピュータ・プログラム製品。
[Ｃ３３]  前記インジケーションは、前記ＣＤが送信されるべき、前記後のフレームのフレーム番号を備える、Ｃ３２に記載のコンピュータ・プログラム製品。
[Ｃ３４]  前記インジケーションは、前記後のフレームで送信されるべきＣＤのバージョンが新しいことを示すフラグを備える、Ｃ３２に記載のコンピュータ・プログラム製品。
[Ｃ３５]  後のフレームにおいて送信されるべきであるチャネル・ディスクリプタ（ＣＤ）のバージョンが、以前に取得されたバージョンであることを示すインジケーションを、基地局から受信するための命令群と、
前記後のフレームで送信されたバージョンを復号することを控えるための命令群と、をさらに備えるＣ３２に記載のコンピュータ・プログラム製品。
[Ｃ３６]  前記後のフレームで送信されたバージョンを復号することを控えるための命令群は、
スリープ・モードに残るための命令群と、
前記以前に取得されたＣＤのバージョンが送信されるべきである後のフレームの間、近隣の基地局をスキャンするための命令群と、のうちの少なくとも１つを備える、Ｃ３５に記載のコンピュータ・プログラム製品。
【図１】
0005507687.tif 000002
【図２】
0005507687.tif 000003
【図３】
0005507687.tif 000004
【図４】
0005507687.tif 000005
【図５】
0005507687.tif 000006
【図５Ａ】
0005507687.tif 000007
【図６】
0005507687.tif 000008
【図７】
0005507687.tif 000009
【図７Ａ】
0005507687.tif 000010
【図８】
0005507687.tif 000011
【図９】
0005507687.tif 000012
【図１０】
0005507687.tif 000013
【図１０Ａ】
0005507687.tif 000014